(57)【要約】【課題】生産効率を向上し得るテープカートリッジを提供する。【解決手段】テープ引き出し口が側壁に開口されたケース本体２と、単一のテープリールと、ケース本体２の側壁に沿ってスライドしてテープ引き出し口を開口可能に閉塞するドア部材４と、テープ引き出し口を閉塞する閉塞位置に向けてドア部材４を付勢するスプリング５とを備え、下ケース１２は、側壁を構成する側板１５ｂと、側板１５ｂに対向するように立設された隔壁１７ａとによって、テープ引き出し口を開口する開口位置および閉塞位置の間でドア部材４をスライド可能とする案内溝１８ａが形成され、隔壁１７ａは、案内溝１８ａに取り付けられた状態のスプリング５におけるコイル部３１に対向する部位が側板１５ｂの高さの２０％以上７０％以下の範囲内で側板１５ｂよりも高背となるように形成されている。【選択図】        図５
2004241073.tif 000002
【特許請求の範囲】
【請求項１】
互いに嵌合可能な上ケースおよび下ケースから構成されて磁気テープを引き出し可能なテープ引き出し口がその側壁に開口されたケース本体と、前記磁気テープがハブの周囲に巻回された状態で前記ケース本体内に収容される単一のテープリールと、前記ケース本体の前記側壁に沿ってスライド可能に当該ケース本体に取り付けられて前記テープ引き出し口を開口可能に閉塞するドア部材と、前記テープ引き出し口を閉塞する閉塞位置に向けて前記ドア部材を付勢するねじりコイルばねとを備えて構成され、
前記上ケースおよび前記下ケースの一方は、前記側壁を構成する第１の壁部と、当該第１の壁部に対向するように立設された第２の壁部とによって、前記テープ引き出し口を開口する開口位置および前記閉塞位置の間で前記ドア部材をスライド可能とする案内溝が形成されて構成され、前記第２の壁部は、前記ドア部材と共に前記案内溝に取り付けられた状態の前記ねじりコイルばねにおけるコイル部に対向する部位が前記第１の壁部の高さの２０％以上７０％以下の範囲内で当該第１の壁部よりも高背となるように形成されているテープカートリッジ。
【請求項２】
前記第２の壁部は、前記取り付けられた状態のねじりコイルばねにおける前記コイル部の中心位置よりも前記コイル部に対向する前記部位が高背となるように形成されている請求項１記載のテープカートリッジ。
【請求項３】
互いに嵌合可能な上ケースおよび下ケースから構成されて磁気テープを引き出し可能なテープ引き出し口がその側壁に開口されたケース本体と、前記磁気テープがハブの周囲に巻回された状態で前記ケース本体内に収容される単一のテープリールと、前記ケース本体の前記側壁に沿ってスライド可能に当該ケース本体に取り付けられて前記テープ引き出し口を開口可能に閉塞するドア部材と、前記テープ引き出し口を閉塞する閉塞位置に向けて前記ドア部材を付勢する圧縮コイルばねとを備えて構成され、
前記上ケースおよび前記下ケースの一方は、前記側壁を構成する第１の壁部と、当該第１の壁部に対向するように立設された第２の壁部とによって、前記テープ引き出し口を開口する開口位置および前記閉塞位置の間で前記ドア部材をスライド可能とする案内溝が形成されて構成され、前記第２の壁部は、前記ドア部材と共に前記案内溝に取り付けられた状態の前記圧縮コイルばねにおける伸張方向の中央部に対向する部位が前記第１の壁部の高さの２０％以上７０％以下の範囲内で当該第１の壁部よりも高背となるように形成されているテープカートリッジ。
【発明の詳細な説明】
【０００１】
【発明の属する技術分野】
本発明は、磁気テープが巻回された単一のテープリールをケース本体内に回転可能に収容した１リールタイプのテープカートリッジに関するものである。
【０００２】
【従来の技術】
この種のテープカートリッジとして、出願人は、上ケース（１）および下ケース（２）からなるケース本体内にテープリール（３）を収容した１リールタイプのテープカートリッジを特開２００２−１００１４８号公報に開示している。このテープカートリッジは、上ケースおよび下ケースに形成された切欠（１２，２２）によって形成されるテープ引き出し口（１００）からケース本体の外部に磁気テープを引き出し可能に構成されている。また、テープ引き出し口は、常態においてはドア部材（７）によって閉塞されている。この場合、ドア部材は、常態においては、テープ引き出し口を閉塞する閉塞位置に向けてばね部材（６）によって付勢され、磁気テープの引き出し時には、テープ引き出し口を開口する開口位置に向けて記録再生装置によってスライドさせられる。また、ばね部材は、第一コイル部（６１）、第二コイル部（６２）、第一コイル部に延設された第一腕部（６４）、第二コイル部に延設された第二腕部（６３）、および両コイル部を連結する連結部（６５）を有するねじりコイルばねで構成されている。
【０００３】
一方、下ケースは、記録再生装置の駆動用シャフトを挿通可能とする挿通用孔が中央部に形成された底板と、底板の四辺に立設されてケース本体における側壁の下半分を構成する側板とを備えて全体として浅皿状に形成されている。また、下ケースの底板には、ケース本体内にテープリールの収容区画を形成するための円弧状の隔壁が立設されている。この場合、図９，１０に示すように、下ケースには、切欠が形成されている側板（以下、「側板（１５ｘ）」ともいう）と、この側板（１５ｘ）に対向する隔壁（以下、「隔壁（１７ｘ）」ともいう）とによって、閉塞位置および開口位置の間でドア部材をスライドさせる案内溝（以下、「案内溝（１８ａｘ）」ともいう）が形成されている。一方、上ケースは、下ケースの底板とほぼ同サイズの天板と、天板の四辺に立設されてケース本体における側壁の上半分を構成する側板とを備えて全体として浅皿状に形成されている。また、上ケースの天板には、下ケースの各隔壁と相俟ってケース本体内にテープリールの収容区画を形成するための円弧状の隔壁が立設されている。この場合、図１１に示すように、上ケースには、切欠が形成されている側板（以下、「側板（１３ｘ）」ともいう）と、この側板（１３ｘ）に対向する隔壁（以下、「隔壁（１９ｘ）」ともいう）とによって、下ケースの案内溝（１８ａｘ）と相俟って閉塞位置および開口位置の間でドア部材をスライドさせる案内溝（１８ｂｘ）が形成されている。
【０００４】
このテープカートリッジの組み立てに際しては、まず、磁気テープが巻回された状態のテープリールを下ケースにおける底板の上（隔壁によって形成された収容区画内）に載置する。次に、図１２に示すように、ばね部材とドア部材とを下ケースに取り付ける。この際には、ばね部材における第二腕部の先端に形成された折り曲げ部（６６）をドア部材に引っ掛けると共に、第一腕部の先端（コイル部（６７））を案内溝（１８ａｘ）内の当接部（２４）に当接させ、かつ、ドア部材を切欠の近傍に位置させる。次いで、ブレーキ解除板（９）、ブレーキロック（５）およびブレーキスプリング（４）などをテープリールの上に載置した後に、下ケースに上ケースを覆い被せて固定する。これにより、図１１に示すように、上ケースおよび下ケースの案内溝（１８ａｘ），（１８ｂｘ）によって形成される極く狭い空間内にドア部材およびばね部材が収納されて、テープカートリッジが完成する。
【０００５】
【特許文献１】
特開２００２−１００１４８号公報（第３−４頁）
【０００６】
【発明が解決しようとする課題】
ところが、この磁気テープカートリッジには、以下の改善すべき課題がある。すなわち、この磁気テープカートリッジでは、上下両ケースの案内溝（１８ａｘ），（１８ｂｘ）によって形成される極く狭い空間内に、ばね部材がドア部材と共に収納されている。この場合、図１２に示すように、テープカートリッジの組み立てに際してドア部材と共にばね部材を下ケースに取り付けた状態では、ばね部材の両コイル部（６１，６２）が案内溝（１８ａｘ）の上方に（側板（１５ｘ）および隔壁（１７ｘ）の両上縁部よりも高い位置に）突出する。したがって、ばね部材の両コイル部が隔壁（１７ｘ）または側板（１５ｘ）における上縁部に引っ掛かった状態となることがある。このような状態の下ケースに上ケースを覆い被せた際には、図１３に示すように、ばね部材の両コイル部が隔壁（１７ｘ）および隔壁（１９ｘ）（または、側板（１５ｘ）および側板（１３ｘ））によって挟まれて、ばね部材が変形するおそれがある。この場合、ばね部材が変形した状態では、ドア部材を閉塞位置に向けて付勢する付勢力が低下することに起因してドア部材が閉塞位置までスライドせずにテープ引き出し口の閉塞が不完全な状態となったり、ドア部材のスライド位置に応じた付勢力の変化がスムーズではなくなることに起因してドア部材のスムーズなスライドが困難となってテープ引き出し口の開口が不完全な状態となったりするおそれがある。このため、そのようなテープカートリッジについては新たなばね部材に代える必要があるが、その分、テープカートリッジの生産効率が低下して製造コストが高騰するため、これを改善するのが好ましい。
【０００７】
本発明は、かかる課題に鑑みてなされたものであり、生産効率を向上し得るテープカートリッジを提供することを主目的とする。
【０００８】
【課題を解決するための手段】
上記目的を達成すべく本発明に係るテープカートリッジは、互いに嵌合可能な上ケースおよび下ケースから構成されて磁気テープを引き出し可能なテープ引き出し口がその側壁に開口されたケース本体と、前記磁気テープがハブの周囲に巻回された状態で前記ケース本体内に収容される単一のテープリールと、前記ケース本体の前記側壁に沿ってスライド可能に当該ケース本体に取り付けられて前記テープ引き出し口を開口可能に閉塞するドア部材と、前記テープ引き出し口を閉塞する閉塞位置に向けて前記ドア部材を付勢するねじりコイルばねとを備えて構成され、前記上ケースおよび前記下ケースの一方は、前記側壁を構成する第１の壁部と、当該第１の壁部に対向するように立設された第２の壁部とによって、前記テープ引き出し口を開口する開口位置および前記閉塞位置の間で前記ドア部材をスライド可能とする案内溝が形成されて構成され、前記第２の壁部は、前記ドア部材と共に前記案内溝に取り付けられた状態の前記ねじりコイルばねにおけるコイル部に対向する部位が前記第１の壁部の高さの２０％以上７０％以下の範囲内で当該第１の壁部よりも高背となるように形成されている。
【０００９】
この場合、前記取り付けられた状態のねじりコイルばねにおける前記コイル部の中心位置よりも前記コイル部に対向する前記部位が高背となるように前記第２の壁部を形成するのが好ましい。
【００１０】
また、本発明に係るテープカートリッジは、互いに嵌合可能な上ケースおよび下ケースから構成されて磁気テープを引き出し可能なテープ引き出し口がその側壁に開口されたケース本体と、前記磁気テープがハブの周囲に巻回された状態で前記ケース本体内に収容される単一のテープリールと、前記ケース本体の前記側壁に沿ってスライド可能に当該ケース本体に取り付けられて前記テープ引き出し口を開口可能に閉塞するドア部材と、前記テープ引き出し口を閉塞する閉塞位置に向けて前記ドア部材を付勢する圧縮コイルばねとを備えて構成され、前記上ケースおよび前記下ケースの一方は、前記側壁を構成する第１の壁部と、当該第１の壁部に対向するように立設された第２の壁部とによって、前記テープ引き出し口を開口する開口位置および前記閉塞位置の間で前記ドア部材をスライド可能とする案内溝が形成されて構成され、前記第２の壁部は、前記ドア部材と共に前記案内溝に取り付けられた状態の前記圧縮コイルばねにおける伸張方向の中央部に対向する部位が前記第１の壁部の高さの２０％以上７０％以下の範囲内で当該第１の壁部よりも高背となるように形成されている。
【００１１】
【発明の実施の形態】
以下、添付図面を参照して、本発明に係るテープカートリッジの好適な実施の形態について説明する。
【００１２】
テープカートリッジ１は、例えば電子計算機の主記録媒体に記録された記録データのバックアップメディアとして使用される１リールタイプのカートリッジ式記録媒体であって、図１に示すように、ケース本体２、テープリール３、ドア部材４、スプリング５、ロック部材６、ブレーキスプリング７およびブレーキ解除板８を備えて構成されている。なお、実際のテープカートリッジ１では、テープリール３に磁気テープが巻回されているが、本発明の実施の形態では、各部の構成についての理解を容易とするために、その図示および説明を省略する。
【００１３】
ケース本体２は、図１に示すように、それぞれ浅皿状に形成され互いに嵌合可能な上ケース１１および下ケース１２を備えて、嵌合状態において形成される内部空間にテープリール３を回転可能に収容する。上ケース１１は、方形の天板１３ａと、天板１３ａの四辺に立設された側板１３ｂ〜１３ｅと、ケース本体２内にテープリール３の収容区画を形成する円弧状の隔壁（図５，６に示す隔壁１９ａなど）とが樹脂で一体成形されている。この場合、上ケース１１の側板１３ｂには、ケース本体２内の磁気テープを外部に引き出し可能とするテープ引き出し口２ａを形成する切り欠き１４が形成されている。また、図５に示すように、上ケース１１には、側板１３ｂと、側板１３ｂに対向する隔壁１９ａとによって、閉塞位置（テープ引き出し口２ａを閉塞する位置）および開口位置（テープ引き出し口２ａを開口する位置）の間でドア部材４をスライドさせる案内溝１８ｂが形成されている。さらに、上ケース１１における天板１３ａの内面中央部には、ロック部材６の上下動を許容しつつ、その回動を規制する４本のガイド突起（図示せず）が立設されている。
【００１４】
下ケース１２は、図１に示すように、底板１５ａと、底板１５ａの四辺に立設された側板１５ｂ〜１５ｅと、上ケース１１の各隔壁と相俟ってテープリール３の収容区画を形成する円弧状の隔壁１７ａ〜１７ｃとが樹脂で一体成形されている。この場合、底板１５ａには、記録再生装置の駆動用シャフト（図示せず）を挿通可能とする円形の挿通用孔が形成されている。また、側板１５ｂには、上ケース１１の切り欠き１４と相俟ってテープ引き出し口２ａを形成する切り欠き１６が形成されている。この場合、側板１５ｂが本発明における第１の壁部に相当し、上ケース１１の側板１３ｂと相俟って本発明における側壁を構成する。また、図２，３に示すように、側板１５ｂと隔壁１７ａとによって、閉塞位置および開口位置の間でドア部材４をスライドさせる案内溝１８ａが形成されている。この場合、側板１５ｂに対向する隔壁１７ａは、本発明における第２の壁部に相当し、図３に示すように、側板１５ｂの幅方向中央部に対向する部位（後述するスプリング５のコイル部３１，３２に対向する部位：本発明におけるコイル部に対向する部位）が側板１５ｂの高さＬ１（上ケース１１の側板１３ｂの高さとも同等）の約３１％の高さＬＳ（本発明における「２０％以上７０％以下の範囲内」の一例）だけ高背の高さＬ２に形成されている。また、図４に示すように、隔壁１７ａは、テープカートリッジ１の組み立て時においてドア部材４と共に案内溝１８ａに取り付けた状態のスプリング５におけるコイル部３１，３２の中心位置よりもその上端部が高くなるように、その高さＬ２が規定されている。
【００１５】
この場合、側板１５ｂの高さＬ１と隔壁１７ａの高さＬ２との差である高さＬＳについては、側板１５ｂの高さＬ１の２０％以上７０％以下の範囲内で適宜変更することができる。一方、高さＬＳが側板１５ｂの高さＬ１の２０％を下回る場合には、後述する本発明の効果を奏するのが困難となる。また、高さＬＳが側板１５ｂの高さＬ１の７０％を超える場合には、隔壁１７ａが高背になり過ぎる結果、下ケース１２の樹脂成形時における隔壁１７ａの離型性が低下するおそれがある。したがって、両高さＬ１，Ｌ２の差である高さＬＳを側板１５ｂの高さＬ１の２０％以上７０％以下の範囲内に規定するのが好ましい。また、より確実に本発明の効果を奏し、かつ樹脂成形時における離型性の低下を確実に回避するためには、３０％以上６０％以下の範囲内に規定するのがより好ましい。
【００１６】
テープリール３は、図１に示すように、ハブ２１、上フランジ２２および下フランジ２３を備えている。ハブ２１は、その周囲に磁気テープを巻回可能な有底円筒状に形成されて、下フランジ２３と一体成形されている。また、ハブ２１には、ロック部材６と噛合可能な歯部がその底板内面に形成されると共に、記録再生装置の駆動用シャフトがテープリール３をロックするための金属板２１ａがその底板外面に取り付けられている。さらに、ハブ２１の底板には、ブレーキ解除板８を上下動可能に取り付けるための３つの挿通用孔が形成されている。上フランジ２２は、ロック部材６およびブレーキ解除板８の挿通を可能とする円形の挿通孔がその中心部に形成されて、ハブ２１の上端部に溶着されている。また、下フランジ２３には、記録再生装置における駆動用シャフトの駆動用歯部と噛合する駆動用歯部が形成されている。
【００１７】
ドア部材４は、テープ引き出し口２ａを閉塞可能な薄板状に形成されて、ケース本体２の側壁（側板１３ｂ，１５ｂ）に沿ってスライド可能にケース本体２に取り付けられている。この場合、図５に示すように、ドア部材４は、上ケース１１の案内溝１８ｂおよび下ケース１２の案内溝１８ａによって形成される極く狭い空間内にスプリング５と共に収納される。また、ドア部材４は、記録再生装置によって側壁に沿ってスライドさせられてテープ引き出し口２ａを開口する。スプリング５は、図４に示すように、コイル部３１，３２、連結部３３および腕部３４，３５を有するねじりコイルばね（トーションばね）で構成されて、腕部３４の先端部が案内溝１８ａ内のストッパ１５ｆに当接させられた状態で、ドア部材４を閉塞位置に向けて付勢する。この場合、このスプリング５は、ドア部材４が閉塞位置に位置する状態において例えば０．２Ｎ程度の付勢力でドア部材４を付勢すると共に、記録再生装置によってドア部材４がスライドさせられることで弾性変形させられて、最大で例えば１．３Ｎ程度の付勢力でドア部材４を付勢する。
【００１８】
ロック部材６は、ハブ２１の歯部に噛合可能な歯部とブレーキ解除板８の中央部に当接可能な突起とが底面に形成されると共に、十字形の位置決め用突起がその上面に立設されて構成されている。この場合、位置決め用突起には、上ケース１１の天板１３ａに立設されている４本のガイド突起を挿入可能な十字形のガイド溝が形成されている。したがって、ロック部材６は、ガイド溝にガイド突起が挿入されることによって上ケース１１に対する上下動が許容された状態で上ケース１１に対する回転が規制される。また、このロック部材６は、ブレーキスプリング７によってハブ２１の底面に向けて常時付勢されている。ブレーキ解除板８は、ハブ２１の底板に挿通させられる３本の脚部が立設された樹脂製の解除板本体に金属製の円板が取り付けられて構成されている。また、このブレーキ解除板８は、テープリール３に対する上下動が許容された状態でテープリール３に対する回転が規制されている。したがって、ブレーキ解除板８は、テープリール３の回転時には、ハブ２１と共に回転させられる。また、ブレーキ解除板８は、記録再生装置の駆動用シャフトがテープリール３に噛合する際にその脚部が押し上げられることによってロック部材６を上方に押し上げてロック部材６のテープリール３に対する噛合を解除する（ブレーキを解除する）。
【００１９】
このテープカートリッジ１の組み立てに際しては、まず、磁気テープが巻回された状態のテープリール３を下ケース１２における底板の上（隔壁１７ａ〜１７ｃによって形成された収容区画内）に載置する。次に、図４に示すように、スプリング５とドア部材４とを下ケース１２に取り付ける。この際には、スプリング５における腕部３５の先端に形成された折り曲げ部をドア部材４に引っ掛けると共に、腕部３４の先端を案内溝１８ａ内のストッパ１５ｆに当接させ、かつ、ドア部材４を切り欠き１６の近傍に位置させる。次いで、ブレーキ解除板８、ロック部材６およびブレーキスプリング７などをテープリール３の上に載置した後に、下ケース１２に上ケース１１を固定する。この際には、まず、押圧用治具（図示せず）を使用して図４に示す状態のドア部材４における下辺を下ケース１２の底板１５ａ（案内溝１８ａの底面）に密着させるようにしてドア部材４を下方に押し付ける。この結果、スプリング５が僅かに弾性変形させられて、コイル部３１，３２が同図に破線で示す位置に移動させられる。次に、この状態を維持しつつ、他の押圧用治具（図示せず）を使用して、下ケース１２の側方から図５に示す矢印の向きでスプリング５のコイル部３１を隔壁１７ａの側面に押し付ける。この場合、隔壁１７ａが側板１５ｂよりも高さＬＳだけ高背の高さＬ２に形成されているため、コイル部３１を確実かつ容易に隔壁１７ａの側面に押し付けることができる。次いで、この状態の下ケース１２に上ケース１１を覆い被せる。この際には、上ケース１１と下ケース１２とが嵌め合わされる直前まで両押圧用治具によってドア部材４およびコイル部３１を押圧し続け、嵌め合わせの際に両押圧用治具を引き抜く（押圧用治具による押圧を解除する）。この場合、スプリング５のコイル部３１が押圧用治具によって隔壁１７ａの側壁に押し付けられているため、図５に示すように、下ケース１２に覆い被せる上ケース１１の隔壁１９ａと下ケース１２の隔壁１７ａとによってコイル部３１が挟まれる事態が回避される。この際に、コイル部３１を隔壁１７ａの側壁に押し付けていなかったとしても、隔壁１７ａを高背に形成したことでその上端部がコイル部３１の中心よりも上方に位置するため、隔壁１９ａ，１７ａによってコイル部３１が挟まれる事態が回避される。この後、固定用ねじ（図示せず）によって上ケース１１および下ケース１２をねじ止めすることにより、図６に示すように、テープカートリッジ１の組立てが完了する。
【００２０】
このように、このテープカートリッジ１によれば、ドア部材４と共に案内溝１８ａに取り付けた状態のスプリング５のコイル部３１，３２に対向する部位が側板１５ｂの高さＬ１の３１％程度の高さＬＳだけ側板１５ｂよりも高背となるように隔壁１７ａを形成したことにより、テープカートリッジ１の組み立てに際して隔壁１７ａの上端部をコイル部３１（またはコイル部３２）の中心よりも上方に位置させることができる。このため、下ケース１２に上ケース１１を覆い被せる際に上ケース１１の隔壁１９ａと下ケース１２の隔壁１７ａとによってコイル部３１（またはコイル部３２）が挟まれる事態を確実に回避することができる。また、ケース本体２の側方から例えばコイル部３１（またはコイル部３２）を隔壁１７ａの側面に押し付けることができるため、下ケース１２に上ケース１１を覆い被せる際に上ケース１１の隔壁１９ａと下ケース１２の隔壁１７ａとによってコイル部３１（またはコイル部３２）が挟まれる事態を一層確実に回避することができる。したがって、テープカートリッジ１の組み立て時におけるスプリング５の変形を回避することができる結果、テープカートリッジ１の生産効率を十分に向上させることができる。
【００２１】
この場合、両高さＬ１，Ｌ２の差である高さＬＳが側板１５ｂの高さＬ１の２０％を下回る場合には、組み立て時におけるコイル部３１の隔壁１７ａへの押し付けが困難となり、コイル部３１が隔壁１７ａ，１９ａ間に挟まれてスプリング５が変形するおそれがある。逆に、高さＬＳが側板１５ｂの高さＬ１の７０％を超える場合には、下ケース１２の樹脂成形時におけるに隔壁１７ａの離型性が低下するおそれがある。これに対して、このテープカートリッジ１では、高さＬＳを側板１５ｂの高さＬ１の３１％程度（本発明における「２０％以上７０％以下の範囲」の一例）に規定したことにより、下ケース１２の樹脂成形時における隔壁１７ａの離型性が低下する事態を確実に回避することができると共に、組み立て時には、スプリング５のコイル部３１を隔壁１７ａの側面に確実かつ容易に押し付けることができる。したがって、テープカートリッジ１の組み立て時におけるスプリング５の変形を回避することができる結果、生産効率を十分に向上させることができる。
【００２２】
また、このテープカートリッジ１によれば、ドア部材４と共に案内溝１８ａに取り付けた状態のスプリング５におけるコイル部３１，３２の中心位置よりも高背となるように隔壁１７ａを形成したことにより、テープカートリッジ１の組み立てに際してケース本体２の側方から例えばコイル部３１を隔壁１７ａの側面に確実に押し付けることができる。したがって、下ケース１２に上ケース１１を覆い被せる際に上ケース１１の隔壁１９ａと下ケース１２の隔壁１７ａとによってコイル部３１が挟まれる事態を一層確実に回避することができる。また、コイル部３１の中心位置よりも低背となるように隔壁１７ａを形成した場合には、コイル部３１の隔壁１７ａへの押し付け時にコイル部３１がケース本体２の内側に倒れ込むことに起因してスプリング５が変形するおそれがあるのに対し、このテープカートリッジ１では、コイル部３１の中心位置よりも高背となるように隔壁１７ａを形成したことにより、コイル部３１の押圧時におけるスプリング５の変形を十分に回避することができる。
【００２３】
なお、本発明は、上記した発明の実施の形態に限らず、適宜変更が可能である。例えば、本発明の実施の形態では、ドア部材４を閉塞位置に向けて付勢するための付勢手段としてねじりコイルばね（スプリング５）を採用した構成を例に挙げて説明したが、本発明はこれに限定されない。例えば、図７に示すスプリング５Ａ（圧縮コイルばね（押しばね）の一例）によってドア部材４を付勢する構成を採用することもできる。この場合、スプリング５Ａは、その一端がドア部材４に当接させられると共に、他端が下ケース１２Ａのストッパ１５ｇに当接させられて、ドア部材４を閉塞位置に向けて常時付勢する。また、図８に示すように、スプリング５Ａを取り付け可能に構成された下ケース１２Ａは、本発明における第２の壁部に相当する隔壁１７ａＡにおける側板１５ｂの幅方向中央部（スプリング５Ａの伸張方向の中央部：図７参照）に対向する部位が、側板１５ｂの高さＬ１（すなわち、上ケース１１の側板１３ｂの高さ）の約３１％の高さＬＳＡだけ高背の高さＬ２Ａに形成されている。したがって、下ケース１２Ａに上ケース１１を覆い被せる際にスプリング５Ａの伸張方向中央部を隔壁１７ａＡの側面に押し付けることができるため、上ケース１１の隔壁１９ａと下ケース１２Ａの隔壁１７ａＡとによってスプリング５Ａが挟まれる事態を十分に回避することができる。したがって、テープカートリッジの組み立て時におけるスプリング５Ａの変形を回避することができる結果、上記したテープカートリッジ１と同様にして、その生産効率を十分に向上させることができる。なお、スプリング５Ａ（圧縮コイルばね）を採用した場合、隔壁１７ａＡを側板１５ｂの高さＬ１の約２０％以上３０％以下の範囲内（例えば２０％程度）の高さだけ高背に形成することで、上記の本発明の効果を十分に奏することができる。
【００２４】
また、本発明の実施の形態では、下ケース１２の隔壁１７ａ，１７ａＡを側板１５ｂよりも高背に形成した構成を例に挙げて説明したが、本発明はこれに限定されず、上ケース１１の隔壁１９ａを側板１３ｂよりも高背に形成する構成を採用することができる。具体的には、上ケース１１の隔壁１９ａが側板１３ｂの高さ（すなわち、側板１５ｂの高さ）の２０％以上７０％以下の範囲内の高さだけ側板１３ｂよりも高背となるように上ケース１１を形成する。また、組み立てに際しては、ドア部材４およびスプリング５を上ケース１１側に取り付けて、スプリング５のコイル部３２を隔壁１９ａの側面に押し付けた状態において上ケース１１に下ケース１２を覆い被せる。これにより、上記のテープカートリッジ１と同様にして、その組み立て時におけるコイル部３１の挟み込みを回避することができる結果、テープカートリッジの生産性を十分に向上させることができる。さらに、本発明の実施の形態では、隔壁１７ａにおける側板１５ｂの幅方向中央部に対向する部位（本発明におけるねじりコイルばねまたは圧縮コイルばねにおける伸張方向の中央部に対向する部位）のみを側板１５ｂよりも高背に形成した構成を例に挙げて説明したが、本発明はこれに限定されず、隔壁１７ａ全体を側板１５ｂよりも高さＬＳだけ高背に形成する構成を採用することができる。また、隔壁１７ａ〜１７ｃのすべてを側板１５ｂよりも高さＬＳだけ高背に形成する構成を採用することもできる。
【００２５】
【発明の効果】
以上のように、本発明に係るテープカートリッジによれば、少なくともねじりコイルばねにおけるコイル部に対向する部位または圧縮コイルばねにおける伸張方向の中央部に対向する部位が第１の壁部の高さの２０％以上７０％以下の範囲内で第１の壁部よりも高背となるように第２の壁部を形成したことにより、テープカートリッジの組み立てに際して第２の壁部の上端部をコイル部の中心よりも上方に位置させることができる。このため、下ケースに上ケースを覆い被せる際に上ケースと下ケースとによってコイル部が挟まれる事態を確実に回避することができる。また、ケース本体の側方から例えばコイルばねを第２の側壁の側面に確実に押し付けることができるため、例えば、下ケースに上ケースを覆い被せる際に上ケースと下ケースとによってコイル部が挟まれる事態を一層確実に回避することができる。したがって、テープカートリッジの組み立て時におけるねじりコイルばねまたは圧縮コイルばねの変形を回避することができる結果、テープカートリッジの生産効率を十分に向上させることができる。
【００２６】
また、本発明に係るテープカートリッジによれば、ねじりコイルばねにおけるコイル部の中心位置よりも対向部位が高背となるように第２の壁部を形成したことにより、テープカートリッジの組み立てに際してケース本体の側方から例えばコイル部を第２の壁部の側面に確実に押し付けることができる。したがって、下ケースに上ケースを覆い被せる際に上ケースと下ケースとによってコイル部が挟まれる事態を一層確実に回避することができる。
【図面の簡単な説明】
【図１】本発明の実施の形態に係るテープカートリッジ１の分解斜視図である。
【図２】下ケース１２における側板１５ｂおよび隔壁１７ａ近傍の平面図である。
【図３】図２におけるＡ−Ａ線断面図である。
【図４】下ケース１２にドア部材４およびスプリング５を取り付けた状態の側面図である。
【図５】下ケース１２に上ケース１１を覆い被せる際のテープカートリッジ１の断面図である。
【図６】下ケース１２に対する上ケース１１の固定が完了した状態のテープカートリッジ１の断面図である。
【図７】本発明の他の実施の形態に係る下ケース１２Ａの平面図である。
【図８】図７におけるＢ−Ｂ線断面図である。
【図９】出願人が開示したテープカートリッジにおける下ケースの平面図である。
【図１０】図９におけるＣ−Ｃ線断面図である。
【図１１】出願人が開示したテープカートリッジにおける側板（１３ｘ），（１５ｘ）および隔壁（１７ｘ），（１９ｘ）近傍の断面図である。
【図１２】出願人が開示したテープカートリッジの組み立てに際してドア部材４およびスプリングを下ケースに取り付けた状態の側面図である。
【図１３】出願人が開示したテープカートリッジにおいてスプリングのコイル部が隔壁（１７ｘ），（１９ｘ）によって挟まれた状態の断面図である。
【符号の説明】
１  テープカートリッジ
２  ケース本体
２ａ  テープ引き出し口
３  テープリール
４  ドア部材
５，５Ａ  スプリング
１１  上ケース
１２，１２Ａ  下ケース
１３ａ  天板
１３ｂ〜１３ｅ，１５ｂ〜１５ｅ  側板
１５ａ  底板
１７ａ〜１７ｃ，１７ａＡ，１９ａ  隔壁
１８ａ，１８ｂ  案内溝
３１，３２  コイル部
３３  連結部
３４，３５  腕部
Ｌ１，Ｌ２，ＬＳ，Ｌ１Ａ，Ｌ２Ａ，ＬＳＡ  高さ
【図１】
2004241073.tif 000003
【図２】
2004241073.tif 000004
【図３】
2004241073.tif 000005
【図４】
2004241073.tif 000006
【図５】
2004241073.tif 000007
【図６】
2004241073.tif 000008
【図７】
2004241073.tif 000009
【図８】
2004241073.tif 000010
【図９】
2004241073.tif 000011
【図１０】
2004241073.tif 000012
【図１１】
2004241073.tif 000013
【図１２】
2004241073.tif 000014
【図１３】
2004241073.tif 000015